(57)【要約】【課題】外来ノイズや静電気に強い撮像装置を提供する。【解決手段】結像した被写体像を電気信号に変換する撮像素子を含む撮像部１０９と、前記撮像部から出力される電気信号を処理する信号処理部２０５と、前記信号処理部からの電気信号をもとに撮影された画像を表示するモニタを含むモニタ部１７と、前記撮像部で撮影された被写体像を記録する記録部２０４と、撮像装置に電源を供給する電源部４２と、前記各部を保持するとともに、前記各部と電気的にも接続される導電性のフレーム４０と、を有することを特徴とする撮像装置により前記課題を解決する。【選択図】図７
2007097227.tif 000002
【特許請求の範囲】
【請求項１】
結像した被写体像を電気信号に変換する撮像素子を含む撮像部と、
前記撮像部から出力される電気信号を処理する信号処理部と、
前記信号処理部からの電気信号をもとに撮影された画像を表示するモニタを含むモニタ部と、
前記撮像部で撮影された被写体像を記録する記録部と、
撮像装置に電源を供給する電源部と、
前記各部を保持するとともに、前記各部と電気的にも接続される導電性のフレームと、
を有することを特徴とする撮像装置。
【請求項２】
前記撮像装置の外装を形成する外装部材と、前記外装部材と前記フレームとを電気的に接続する三脚座を有することを特徴とする請求項１記載の撮像装置。
【請求項３】
前記撮像装置の外装を形成する外装部材と、前記外装部材と前記フレームとを電気的に接続するストラップ固定用金具を有することを特徴とする請求項１記載の撮像装置。
【発明の詳細な説明】
【技術分野】
【０００１】
本発明は、撮像部と信号処理部とモニタ部と記録部と電源部とを備えた撮像装置に関するものである。
【背景技術】
【０００２】
従来のこの種の撮像装置において、図１６〜図１８を用いて説明する。図１６は、従来例を説明するための外観斜視図であり、３０１は、ファインダ３０５用の角穴３０１ａを具備した樹脂製の前カバー、３０２は樹脂製の後カバー、３０３はレリーズボタン、３０４はストロボ、３０５はファインダ、３０６は撮影レンズ、３０７は、撮影可能枚数などの情報を表示する白黒液晶、３０８は、カメラのモードを変更するためのモードダイヤルであり、不図示の手段で矢印Ｐ，Ｑの両方向に回動可能に軸支されている。３０９は、モードダイヤル３０８のどのモードが選択されているかを操作者に知らせるために、後カバー３０２に印刷された指標である。
【０００３】
図１７は、図１６の従来例の撮影レンズ３０６中央での略水平断面図であり、３１０は、撮影レンズ３０６及び不図示のＣＣＤを含む撮影系を構成している光学ブロック、３１１は信号処理基板、３１２は、コネクタ３１３で信号処理基板３１１と接続されている電源基板、３１４は、電源であるところの各電池であり、不図示の手段で電気的に電源基板３１２と接続している。３１５は、各電池３１４を格納するための電池室である。
【０００４】
図１８は、従来例の三脚ねじ部を断面した概略断面図であり、３１６は、後カバー３０２に、一体的に設けられた三脚ねじ部である。
【０００５】
図１６の従来の撮像装置であるデジタルスチルカメラにおいて、モードダイヤル３０８を矢印Ｐ方向に回動させ、マーク３０８ａを指標３０９に合わせる。すると、不図示のＣＰＵによってカメラは撮影可能となり、白黒液晶３０７に撮影条件を表示する。そこで、操作者はファインダ３０５を覗き、撮影したい場合にはレリーズボタン３０３を押す。レリーズボタン３０３は、２段ストロークとなっており、第１ストロークでスイッチ１がオンして測光距離などの撮影準備が実行され、第２ストロークでスイッチ２がオンして撮影動作が実行される。被写体が暗い場合には、ストロボ３０４が自動発光する。撮影した画像は不図示の内部メモリに記録される。
【０００６】
撮影した画像を再生したい場合は、不図示のケーブルでパーソナルコンピュータ（以下、“ＰＣ”と呼ぶ）に接続し、モードダイヤル３０８を矢印Ｑ方向に回動させ、マーク３０８ｂを指標３０９に合わせて再生モードにする。この後、操作者はＰＣを操作して再生したい画像を呼び出すことができる。
【０００７】
次に、従来のカメラの内部構成について説明する。図１７において、光学ブロック３１０は、不図示の手段でカメラ内部に取付けられ、不図示の手段で信号処理基板３１１と接続されている。各電池３１４は、電池室３１５に収納され、不図示の手段で電源基板３１２と接続している。信号処理基板３１１は、コネクタ３１３で電源基板３１２から電源を供給されている。
【０００８】
三脚ねじ部３１６は、図１８に示すように、樹脂製の後カバー３０２に形成され、不図示の手段で前カバー３０１と後カバー３０２は結合している。信号処理基板３１１は、三脚ねじ部３１６に結合されていない。
【特許文献１】特開平６−２０５２５１号公報
【発明の開示】
【発明が解決しようとする課題】
【０００９】
しかしながら、上記従来例では外装モールドがＧＮＤに接地されていないために、また、内部の各基板の不図示の接地が弱いために、外来ノイズや静電気に弱いという欠点があった。
【００１０】
そこで、本発明の目的は、外来ノイズや静電気に強い撮像装置を提供することにある。
【課題を解決するための手段】
【００１１】
本発明は、結像した被写体像を電気信号に変換する撮像素子を含む撮像部と、前記撮像部から出力される電気信号を処理する信号処理部と、前記信号処理部からの電気信号をもとに撮影された画像を表示するモニタを含むモニタ部と、前記撮像部で撮影された被写体像を記録する記録部と、撮像装置に電源を供給する電源部と、前記各部を保持するとともに、前記各部と電気的にも接続される導電性のフレームと、を有することを特徴とする。
【発明の効果】
【００１２】
本発明は、前記各部を保持するとともに、前記各部と電気的にも接続される導電性のフレームを有することにより、外来ノイズや静電気に強いカメラとなった。また、外装及び信号処理基板、電気回路用基板は強度の充分大きな三脚座に電気的に電源もしくはＧＮＤに固定され、その結果、小さな接地抵抗で接地され、外来ノイズや静電気に強いカメラとなった。
【発明を実施するための最良の形態】
【００１３】
以下に、本発明の実施の形態を、複数の実施例に基づき、図面を参照して詳細に説明する。
【実施例】
【００１４】
（第１の実施例）
〈構成〉
図１に、本発明の特徴を最もよく表すデジタルスチルカメラの第１の実施例の外観正面斜視図を示す。同図において、１は、鏡筒１４用の穴１ａを具備した金属製の前カバーであり、突部１ｂは、操作者が撮影の際に指でストロボ６を隠さないようにするためのものである。２は、金属製の後カバー、３はレリーズボタン、４はファインダ窓、５は、暗い被写体を撮影する際の測距を補助するＡＦ補助光、６は、内部に不図示の赤目緩和ランプを具備したストロボ（フラッシュ）、７は、撮影可能枚数などの情報を表示する白黒液晶、８は、カメラのモードを変更するためのモードダイヤルであり、不図示の手段で矢印Ａ，Ｂの両方向に回動可能に軸支されている。
【００１５】
９は、モードダイヤル８のいずれのモードが選択されているかを操作者に知らせるための指標、１０は、不図示のレンズを保護するためのバリア、１１は、撮影した画像をＴＶモニタ等の外部モニタに映し出す際にカメラと外部モニタを接続するケーブルを差し込むためのビデオジャック、１２は、ＰＣに撮影した画像を転送する際にカメラとＰＣとを接続するケーブルを差し込むためのジャックである。
【００１６】
図２は、撮影可能状態となった図１カメラの概略正面斜視図であり、１３はレンズ、１４は、レンズ１３を保持し被写体に合焦するために、不図示の手段で矢印Ｅ，Ｆ両方向に移動可能な鏡筒である。
【００１７】
図３は、撮影可能状態となった図２カメラの概略背面斜視図であり、後カバー２にはカラー液晶１７用の角窓２ａ、ファインダ用の穴２ｂ、合焦ＬＥＤ１２７（後述図５）用の穴２ｃ、マクロＬＥＤ１２８（前同）用の穴２ｄが設けられている。１５は、不図示の手段で矢印Ｇ，Ｈ両方向に回動自在に軸支され、かつ、不図示の爪部によってカメラ本体に保持され、撮影画像の記録媒体であるコンパクトフラッシュ(登録商標)カード（以下、“ＣＦカード”と呼ぶ）を保護しているＣＦカバーであり、さらには、ＣＦカバー１５の不図示の突部でＣＦカバー１５が正しく閉められているか否かを検知するＣＦ検知ＳＷを押接している。
【００１８】
１６は、不図示の付勢手段で矢印Ｊ方向に付勢され、ＣＦカバー１５の不図示の爪部と係合しＣＦカバー１５を保持しているＣＦロック、１７は、撮影しようとしている画像を表示するエレクトロニックビューファインダ（以下、“ＥＶＦ”と呼ぶ）の役目及び撮影した画像を表示するモニタの役目をするカラー液晶、１８は、カメラの各設定を変更する際のエンターキーとなるセットボタン、１９は、カメラの各設定画面を呼び出すためのメニューボタン、２０は、撮影モード時には接近撮影に変更するためのマクロボタンであり、再生モード時には、再生画像の表示変更に使用する。
【００１９】
２１は、カラー液晶１７をオン・オフするＬＣＤボタン、２２は、プログラムモード，スイッチモード時にストロボの強制発光，発光禁止及び赤目緩和撮影の切り替えに使用し、再生モード時には再生画像の逆送りをするマイナスボタン、２３は、撮影モード時に連写及びセルフタイマに使用し、再生モード時には再生画像の順送りをするプラスボタン、２４は、不図示の電池用の電池蓋、２５はストラップ金具である。
【００２０】
図４は、撮影可能状態となったカメラの概略底面図であり、２５は、電池蓋２４が不用意に開かないようにするためのロック部材、２６は、付属品固定用部材としての三脚ねじであり、ビス２７，２８，２９用のねじ部を有している。
【００２１】
図５は、本カメラの構成ブロック図であり、２０１は光学ブロック、２０２は光学基板を示す。１０１は、レンズを保護するバリアを有したバリアユニット、１０２は、バリアユニット１０１の駆動源であるモータ、１０３は、モータ１０２をコントロールするドライバ、１０４は、レンズ鏡筒１４を移動させるための駆動源であるモータ、１０５は、モータ１０４をコントロールするドライバ、１０６は、絞りであるところのＩＧ、１０７は、ＩＧ１０６を駆動させるモータ、１０８は、モータ１０７をコントロールするドライバ、１０９は、光学信号を電気信号に変換する固体撮像素子（以下、“ＣＣＤ”と呼ぶ）、１１０は、ＣＣＤ１０９用のタイミングジェネレータである。
【００２２】
次に、２０３はメイン基板を示し、１１１は、アナログ信号をデジタル信号に変換するためのＡＤコンバータ、１１２は、デジタル信号を処理するデジタルＩＣ（以下、“ＤＩＣ”と呼ぶ）、１１３は、ゲートアレー（以下、“Ｇ．Ａ”と呼ぶ）、１１４は、カラー液晶１７（図３）に表示する画像データを記憶しておくためのＶＲＡＭ、１１５はメインＣＰＵ、１１６はＤＲＡＭ、１１７はＪＰＥＧ  ＩＣ、１１８はＣＦ基板２０４上の画像データの記録媒体であるＣＦカードである。
【００２３】
また、２０５は、撮像基板を示し、１１９は、ビデオ出力用のアンプ、１２０は、ＰＣとの通信用のＩＣ、１２１は、カラー液晶１７の光源であるバックライト、１２２は、バックライト１２１を駆動するためのインバータ、１２３は、カラー液晶１７用のコントローラである。
【００２４】
１２４は、カメラの操作系をコントロールするサブＣＰＵ、１２５は、操作系の各ＳＷを総称したＳＷ部、１２６は、カメラの合焦時やレリーズ時に音を出す発音体、２０１は、図示した構成要素を備えた光学ブロック、２０２は図示した構成要素を備えた光学基板、２０３は、図示した構成要素を備えたメイン基板、２０４は、図示した構成要素を備えたＣＦ基板、２０５は、図示した構成要素を備えた撮像基板、２０６は、図示した構成要素を備えたインバータ基板、２０７は、図示した構成要素を備えたＬＣＤ基板、２０８は、各回路へ電源を供給する電源基板、２０９は、図示した構成要素を備えたサブ基板である。
【００２５】
図６は、モードダイヤル８（図２）上に設けられた動作モード選択用のマークの説明図であり、３０は動作停止のロック、３１は、予め設定された画質を操作者が変更できない状態で撮影するグリーンモード、３２は、操作者が撮影条件を変更して撮影できるプログラムモード、３３は、縦長，横長，２×２（縦横２枚づつの４枚で一画面）の何れかの連続した画像にソフト上で合成可能に撮影するスイッチモード、３４は、ＰＣと接続し画像を転送する際に使用するＰＣ通信モード、３５は、ＣＦカード１１８に記録された画像を再生する際に使用する再生モード、３６は、記録された画像を９枚ごとに再生するマルチモードを示している。
【００２６】
図７は、本カメラのレンズ中央での略水平断面図であり、４０は、略コの字形をしたフレームであり、その開口部はカメラ正面を向いている。４１は、電源であるところの電池であり、不図示の接点手段で電源基板２０８（図５）に接続している。４２は、電池４１を格納する電池室、４３は、ＣＦカード１１８をカメラ本体から取り出すための手段であるイジェクタ、４４，４５は各レンズ、４６はローパスフィルタ、４７は図示した構成要素を備えたＣＣＤブロック、４８は、内部にインバータ基板２０６を有しているシールドケースである。
【００２７】
図８は、本カメラの内部構成を説明するための概略斜視図であり、４９は、光学ブロック２０１をフレーム４０に固定するための各ビス、５０は、不図示の手段で電源基板２０８と電気的に接続されたシールドケースＵ、５１は、フレーム４０と機械的，電気的に接続するためのラグ部５１ａを備え、不図示の手段で電源基板２０８と電気的に接続されたシールドケースＤ、５２は、フレーム４０と三脚ねじ２６を固定するための各ビスである。
【００２８】
図９は、三脚ねじ２６略中央での略垂直断面図であり、５３は、ＬＣＤ基板２０７と三脚ねじ２６とを固定するためのビスである。
【００２９】
図１０は、モードダイヤル８近傍からレリーズボタン３までの略垂直断面図であり、６０は、指標９を備え、モードダイヤル８のボス部８ａを回動自在に軸支する筒部６０ａ及びレリーズボタン３をビス６７で固定するための下穴６０ｂを有したレリーズベース、６１は、モードダイヤル８の回動にクリックをつけるための駒、６２は、駒６１を付勢するばね、６３は、２段ストロークを有したレリーズスイッチであり、第１ストロークでスイッチ１がオンして測光距離などの撮影準備動作が実行され、第２ストロークでスイッチ２がオンして撮影動作が実行される。
【００３０】
６４は、レリーズスイッチ６３を有すると共に、ダイヤルコードパターンが形成されている操作基板、６５は、フック部６５ａで操作基板６４のダイヤルコードパターンに当接しているブラシ、６６は、ブラシ６５をモードダイヤル８に固定するためのビス、６７は、レリーズボタン３をレリーズベース６０に固定するためのビス、６８，６９は、操作基板６４をレリーズベース６０に固定するための各ビスである。
【００３１】
図１１は、モードダイヤル８及びレリーズベース６０の指標９を含んだ略水平断面図であり、レリーズベース６０のリブ６０ｃが、駒６１とばね６２とをガイドし、駒６１は、モードダイヤル８に形成された各溝８ｂ〜８ｈに係合し、モードダイヤル８の回動クリック感を創っている。
【００３２】
図１２は他のフレーム形状例を説明するための概略水平断面図であり、４０１はカバー、４０２は撮影レンズ、４０３は、不図示のＣＣＤを含む撮影系を構成している光学ブロック、４０４は電気回路基板１、４０５は電気回路基板２、４０６は電源基板、４０７は、略Ｈ形をしたフレーム、４０８は、電源であるところの電池であり、不図示の手段で電気的に電源基板４０６と接続している。４０９は、電池４０８を格納するための電池室である。
【００３３】
〈動作〉
次に、上記構成において、先ず撮影動作について説明する：
図１のカメラは動作停止の状態を示し、ここから操作者はモードダイヤル８を矢印Ａ方向に回動させ、図６のグリーンモード３１を指標９に合わせる。すると、図１０のブラシ６５のフック部６５ａが、操作基板６４上の不図示のダイヤルコードパターンのグリーンモードとなるパターンを短絡させる。
【００３４】
これにより、図５のＳＷ部１２５からサブＣＰＵ１２４に信号が入り、サブＣＰＵ１２４ＦＧ．Ａ１１３を介してメインＣＰＵ１１５に操作者がグリーンモードを選択したことを知らせる。メインＣＰＵ１１５は、バリアユニット１０１に先ずバリア１０を開ける信号を出し、次に鏡筒１４を繰り出す信号を出す。これと同時に、ＣＦカード１１８にアクセスして空き容量をチェックし、白黒液晶７に撮影可能枚数、更には予め設定してある画質、画サイズなどの撮影条件を表示する。
【００３５】
図１においては、バリア１０が不図示の支点を中心に矢印Ｃ方向に移動してバリア開となり、図２に示す鏡筒１４が矢印Ｅ方向に繰り出てくる。
【００３６】
この状態を示す図が図２であり、同図において、操作者はファインダ４より被写体を覗き、撮影したい場合にレリーズボタン３を押す。レリーズボタン３は図１０に示すように、ベース部３ｃでビス６７によってレリーズベース６０に固定され、略のの字形をした腕部３ｂでレリーズボタン３を上方に付勢しているので、この付勢力に抗して押されると、突部３ａがレリーズＳＷ６３を押下する。レリーズＳＷ６３は、前述のように、２段ストロークのスイッチになっており、第１ストロークでスイッチ１がオンする。
【００３７】
すると、図５のＳＷ部１２５からサブＣＰＵ１２４に信号が入り、サブＣＰＵ１２４はＧ．Ａ１１３を介してメインＣＰＵ１１５にスイッチ１が押されたことを知らせる。メインＣＰＵ１１５は、この信号により測光距離などの撮影準備を始め、暗い被写体であればＡＦ補助光５（図２）を点灯させて測距を行う。撮影準備が整うと、メインＣＰＵ１１５は、発音体（ブザー）１２６から「ピピッ」という合焦音を出すと共に、通常撮影であれば合焦ＬＥＤ２ｃ（図３）に設けられた２色のうちの緑色を点灯させ、ストロボ撮影であれば赤色を点灯させて、操作者に撮影準備ができたことを知らせる。
【００３８】
この後、操作者はレリーズボタン３をさらに押し、第２ストロークでスイッチ２がオンして撮影動作が実行される。撮影が完了すると発音体１２６から「ピーッ」という完了音を出すと共に、ＣＦカード１１８に撮影画像が記録される。
【００３９】
また、このグリーンモード時に図３のＬＣＤボタン２１を押すと、メインＣＰＵ１１５は、カラー液晶１７にライブ画像を表示し、カラー液晶１７をＥＶＦとして使用できる。
【００４０】
近接撮影をする場合には、マクロボタン２０を押す。すると、図５のＳＷ部１２５からサブＣＰＵ１２４に信号が入り、サブＣＰＵ１２４は、Ｇ．Ａ１１３を介してメインＣＰＵ１１５にマクロボタン２０が押されたことを知らせる。メインＣＰＵ１１５は、この信号で、白黒液晶７にマクロマークを出すと共に、レンズ移動のアルゴリズムを近接撮影用に変更する。
【００４１】
操作者がレリーズボタン３を押して、スイッチ１で合焦すると、メインＣＰＵ１１５は、発音体１２６から「ピピッ」という合焦音を出すと共に、マクロＬＥＤ２ｄの橙色を点灯させ操作者に合焦したことを知らせる。操作者はレリーズボタン３をさらに押し、第２ストロークでスイッチ２がオンして撮影動作が実行される。撮影が完了すると発音体１２６から「ピーッ」という完了音を出すと共に、ＣＦカード１１８に撮影画像が記録される。
【００４２】
画質、画サイズ、日付、カラー液晶の明るさ、節電モードのオンオフ、ファイルナンバのリセット、画像の消去、ＣＦカードのフォーマットなど様々な設定は図３のメニューボタン１９を使って行える。メニューボタン１９を押すと、メインＣＰＵ１１５は、カラー液晶１７に不図示のメニュー画面を表示する。操作者は設定したい項目をプラスボタン２３またはマイナスボタン２２を押して選択し、セットボタン１８で確定する。メニュー画面を終了させたいときには、再度メニューボタン１９を押すことで行える。
【００４３】
カメラの動作を終了させたいときには、図６において、モードダイヤル８を回動させてロック３０を指標９に合わせる。すると、図１０のブラシ６５のフック部６５ａが、操作基板６４上の不図示のダイヤルコードパターンのロックとなるパターンを短絡させる。
【００４４】
これにより、図５のＳＷ部１２５からサブＣＰＵ１２４に信号が入り、サブＣＰＵ１２４はＧ．Ａ１１３を介してメインＣＰＵ１１５に操作者がロックを選択したことを知らせる。メインＣＰＵ１１５は、先ず鏡筒１４を繰り入れる信号を出し、次にバリアユニット１０１をバリア１０（図１）を閉める信号を出す。これと同時に、ＣＦカード１１８との通信を終了し、白黒液晶７の表示を消す。
【００４５】
図１においては、不図示の鏡筒１４が矢印Ｆ方向に移動し、その後バリア１０が不図示の支点を中心に矢印Ｄ方向に移動してバリア閉となる。
【００４６】
ＣＦカード１１８（図５）を交換するには、図３において、ＣＦロック１６を矢印Ｋ方向にスライドさせ、ＣＦカバー１５の不図示の爪部との係合を外す。ＣＦカバー１５は、不図示のＣＦ検知ＳＷで矢印Ｇ方向に付勢されているので、係合が外れると、ＣＦカバー１５は矢印Ｇ方向に回動し、ＣＦカード１１８を露出させる。そこで、操作者は図７においてイジェクタ４３をカメラ内部に押し込む方向に移動させ、ＣＦカード１１８を取り出すことができる。
【００４７】
電池４１を交換するには、図４において、ロック部材２５を矢印Ｌ方向にスライドさせ、電池蓋２４との不図示の係合を外す。次に操作者は、電池蓋２４に設けられた凹部２４ａに指をかけ矢印Ｍ方向にスライドさせた後、電池蓋２４をつまんで紙面手前側に支点２４ｂを中心に回動させ、電池４１を露出させる。これにより、操作者は電池の交換が行える。
【００４８】
ロック部材２５を矢印Ｌ方向にスライドさせたとき、ロック部材２５とメイン基板２０３（図７）に設けられた不図示の電池蓋検知ＳＷとの当接も外れ、メインＣＰＵ１１５は、これにより、動作中であれば強制的にシステムをシャットダウンさせる。これは、システム動作中に不用意に電池を抜かれるとＣＦカード１１８を破壊してしまう怖れがあるためである。
【００４９】
〈内部構成〉
次に内部構成について図７を用いて説明する：
図７において、フレーム４０は略コの字形をしており、その開口部はカメラ正面を向いている。これにより、その内部に抱えるように撮影系としての光学ブロック２０１及び信号処理基板としてのメイン基板２０３、撮像基板２０５とカラーＬＣＤ１７をコントロールするＬＣＤ基板２０７が後述する手段で取付けられ、更には、インバータ基板２０６を覆っているシールドケース４８が入り込んだ構成が可能となり、スペースを有効に活用したコンパクトなカメラが実現できている。
【００５０】
ここで、フレーム４０が略コの字形をして、その開口部をカメラ正面に向けている理由を説明する：
（１）略コの字形の開口部をカメラ背面に向けた場合、撮影レンズは必ずカメラ正面を向いていなければならないために、撮影レンズを備えた鏡筒１４が繰り出せるだけの大きな穴を開ける必要があり、フレームの強度が損なわれると共に、光学ブロック２０１をフレームに取付けるための鍔部が必要となり、この鍔部をよける分、カメラが大きくなってしまう。
【００５１】
（２）略コの字形であるのは、図７において、紙面手前側に折り曲げ部を設けるとファインダ４を形成できなくなり、奧側に折り曲げ部を設けると各基板を小さくするか、カメラを大きくする必要があるためである。つまり、フレーム４０に庇（ひさし）となる折り曲げ部を設けることは構成上不可能であり、底となる折り曲げ部を設けることは、カメラを大きくしてしまうという不具合があるので、略コの字形であることが小型化のためには最適な形状である。
【００５２】
さらには、前出図１２のように、フレーム４０７が略Ｈ形をしていた場合、光学ブロック４０３は必然的にカメラ前方にせり出してくるので、たとえ、記録媒体であるＣＦカード１１８（図５）やカラー液晶１７（図３）を備えていないカメラでも、その厚さが厚くなってしまう。
【００５３】
以上のような理由からフレーム４０は略コの字形をして、その開口部をカメラ正面に向けているのである。
【００５４】
さらに、図７において、フレーム４０は、その短辺部で不図示のビスによって電池４１を格納している電池室４２に固定され、カメラの骨格を構成している。そして、この背面に略同一平面状にカラー液晶１７、バックライト１２１と画像の記録部であるＣＦ基板２０４が配置され、ＣＦ基板２０４上には、ＣＦカード１１８と機械的電気的に接続するＣＦスロット２０４ａが具備されている。
【００５５】
カラー液晶１７，バックライト１２１とＣＦ基板２０４が、略同一平面状に配置されることで、カメラの厚みを薄くすることが可能となっている。これが、配置を変更して電池室４２の上にＣＦ基板２０４を、更にこの上にカラー液晶１７，バックライト１２１を配置した場合、電気回路基板のスペースに十分な余裕がとれても、カメラの厚みが相当厚くなってしまう。
【００５６】
カメラの携帯性を考慮した場合、厚みが厚くては、胸のポケットに入らないなどの不具合がでてしまい商品価値を下げてしまうため、薄いカメラの実現は必須である。
【００５７】
次に、図８を用いてカメラ内部の各基板の配置について説明する：
各基板に電源を供給する電源基板２０８は、不図示の接点手段で不図示の電池４１と電気的に接続されて電池室４２の上部に具備され、ノイズ防止のためにシールドケースＵ５０とシールドケースＤ５１で覆われている。
【００５８】
シールドケースＵ５０とシールドケースＤ５１とは、不図示の手段で電源基板２０８のＧＮＤと電気的に接続されており、シールドケースＤ５１のラグ部５１ａは、光学ブロック２０１を固定する各ビス４９と共締めで、フレーム４０に機械的電気的に接続されている。
【００５９】
光学ブロック２０１は、電池室４２と隣接して各ビス４９によってフレーム４０に固定される。ＬＣＤ基板２０７は、ビス用の各穴２０７ａ，２０７ｂを使用して、フレーム４０のビス座４０ａと三脚ねじ２６のビス座２６ａにビス止めされる。
【００６０】
撮像基板２０５は、ビス用の各穴２０５ａ，２０５ｂを使用して、フレーム４０の各ビス座４０ｂと４０ｃにビス止めされる。
【００６１】
メイン基板２０３は、ビス用の各穴２０３ａ，２０３ｂを使用して、フレーム４０のビス座４０ｄと電池室４２のビス座４２ａとにビス止めされる。
【００６２】
不図示の光学基板２０２は、フレーム４０の各ビス座４０ｅと４０ｆにビス止めされる。不図示のストロボ６はフレーム４０のビス座４０ｇにビス止めされる。
【００６３】
インバータ基板２０６を覆っている不図示のシールドケース４８は、フレーム４０の角穴４０ｈを使ってカメラ内部に入り込んでいる（図７も参照）。
【００６４】
三脚ねじ２６は、ビス４９によって、フレーム４０に機械的電気的に接続されている。
【００６５】
以上のように、各構成要素を配置した理由について説明する：
（１）電源である電池と電源回路とは、電力伝達の損失を最小に抑えるために、その接続距離を物理的に最小にすることが望ましく、この意味で電池室４２の上部に電源基板２０８を設けている。
【００６６】
（２）電源基板２０８は、動作時にノイズを発生する場合がある。このノイズが、メイン基板２０３や撮像基板２０５などの信号処理部に飛び込むと、画像にノイズが走るなどの画質の劣化を生じてしまう。また、他の電気回路基板においても、ノイズがによるハングアップなどの誤動作が起きてしまう。このため、電源基板２０８をシールドケースＵ５０とシールドケースＤ５１とで覆うことで、ノイズを防止しようとしているが、物理的に信号処理や他の電気回路部との距離をとることも有効な手段である。
【００６７】
しかしながら、単に距離をとっていたのでは、携帯性に優れた小型なカメラを実現することはできない。そこで、電源基板２０８を具備した電池室４２に隣接して、光学ブロック２０１を配置し、さらに、光学ブロック２０１の電池室４２と反対側に隣接して信号処理部や他の電気回路部を配置した。これにより、光学ブロック２０１という物理的な距離をとることで、ノイズに強くしかも、光学ブロック２０１を電池室４２に隣接させているので無駄なスペースの無い小型なカメラが実現できた。
【００６８】
（３）光学ブロック２０１を電池室４２に隣接させている更なる理由として、よりカメラらしいフォルムの実現が挙げられる。３５ミリフィルムを使ったカメラのデザインは、誕生から約１００年来、一貫してその略中央に撮影レンズを配置しており、撮像装置の文化として全世界的に認知されている。
【００６９】
一方、本実施例カメラのように、通常デジタルスチルカメラと呼ばれるものの中には、従来例のように左端に撮影レンズを配置しているものがあり、ユーザにとっては、撮像装置としての３５ミリフィルムカメラの伝統の故に、違和感を感じて購買意欲を損なう可能性もあった。この意味から、本カメラでは、光学ブロック２０１を電池室４２に隣接させることで、撮影レンズを略中央に配置することが可能となり、ユーザから違和感を持たれず、しかも小型化によって購買意欲をかきたてるカメラが実現できた。
【００７０】
（４）フレーム４０の角穴４０ｈからカメラ内部に入り込んでいる不図示のシールドケース４８は、内部にインバータ基板２０６を備えている。このインバータ基板２０６も、またノイズを発生する場合があり、小型化によって込み入ってしまったカメラ内部でメイン基板２０３や撮像基板２０５など、信号処理部と距離をとる必要がある。そこで、カラー液晶１７をドライブするＬＣＤ基板２０７を、図８に示すように配置することで信号処理部へのノイズ対策が可能となった。
【００７１】
（５）三脚ねじ２６は、その用途上からも、カメラ本体の骨格に接続されていることが望ましく、この意味から、フレーム４０とビス４９とで固定されている。フレーム４０は、前述のように、シールドケースＤ５１のラグ部５１ａで電源ＧＮＤと接続されているので、三脚ねじ２６もＧＮＤに接地されている。
【００７２】
次に、三脚ねじ２６と外装とフレーム４０との固定について説明する：
図９は、三脚ねじ２６の略中央垂直断面図であり、前カバー１はビス２９で、後カバー２はビス２８で、ＬＣＤ基板２０７はビス５３で、電気的に導通を保つように三脚ねじ２６に固定されている。前述のように、三脚ねじ２６は、カメラ本体の骨格であるフレーム４０に固定されており、この骨格を包むように剛性のある金属製の前カバー１，後カバー２が取り付くため、非常に堅固なカメラとなり、ねじ部２６ｂで三脚に固定したり、逆にねじ部２６ｂに付属品を固定することができる。
【００７３】
さらに、三脚ねじ２６は、ＧＮＤに小さな接地抵抗で接地されているので、金属製の前カバー１，後カバー２，ＬＣＤ基板２０７の接地電位もＧＮＤとなり、電気的にＧＮＤでカメラを包むことになるので、外来ノイズや静電気に強いだけでなく、不要輻射と呼ばれるカメラ内部から外に向かって放出するノイズを軽減したカメラが実現できた。さらに、ＬＣＤ基板２０７の堅固な保持を同時に実現できる。
【００７４】
〈モードダイヤル〉
次に、モードダイヤル８と指標９とについて説明する：
図１０において、モードダイヤル８は、ボス部８ａでレリーズベース６０の筒部６０ａと回動自在に軸支され、その先端にはビス６６でブラシ６５が固定されている。操作者がモードを変更しようとモードダイヤル８を図１１の矢印Ａ方向に回転させると、駒６１が溝８ｂの斜面に沿って、ばね６２に抗して中心方向に移動し、溝８ｃに入る。この動作がクリック感を創っている。他の各溝８ｄ〜８ｈについても同様である。
【００７５】
また、この時、どのモードが選択されたかは、指標９に、図６のどのマークが合っているかを見ることで分かる。操作者が頻繁にマークと指標の位置を見るので、指標９とモードダイヤル８との位置がほんの少しずれていると、指標９がどこを指しているかという本来の機能をたとえ果たせていても、操作者に安っぽいカメラとの印象を与えてしまう。そこで、本実施例では、モードダイヤル８をガイドしているレリーズベース６０上に指標９を形成することで、位置精度の高い指標を実現している。
【００７６】
さらに、指標９を備えたレリーズベース６０と後カバー２とは別体なので、レリーズベース６０の色や材質感を後カバー２と大きく異ならせることが容易なため、視認性の良い指標が実現できる。また、指標９でレリーズベース６０と後カバー２との位置決めが可能となっているため、レリーズベース６０に新たに位置決めを設ける必要がなくなった。
【００７７】
（第２の実施例）
図１３に、本発明に係る第２の実施例を説明する概略垂直断面図（前記第１実施例の図９対応図）を示す。７０は、本第２実施例の特徴を最も良く示す三脚ねじであり、フレーム４０を固定するためのねじ部７０ａ、ＬＣＤ基板２０７を固定するためのねじ部７０ｂ、撮像基板２２０を固定するためのねじ部７０ｃを備えている。２２０は撮像基板であり、ビス７１で三脚ねじ７０とビス止めされる。
【００７８】
前記第１実施例の図９におけると同一構成要素は同一番号を付し、重複説明は省略する。
【００７９】
上記構成において、本第２実施例では、新たに信号処理基板である撮像基板２２０も小さな接地抵抗で接地されることになる。この信号処理基板にノイズが乗ると、画質の劣化を引き起こしてカメラとしての商品価値を下げてしまうので、信号処理基板のＧＮＤを強化することによって、さらにノイズに強いカメラが実現できた。さらに、撮像基板２２０は、機械強度的に充分強い三脚ねじ７０に固定されるので、基板の堅固な保持が実現できた。
【００８０】
（第３の実施例）
図１４は、本発明の実施例を説明する概略背面斜視図（前記第１実施例の図３対応図）であり、７５は、本第３実施例の特徴を最も良く示すストラップ金具であり、各ビス７６，７７によってカメラに固定されている。７８は、ストラップ金具７５の形状に合わせた前カバー、７９はストラップ金具７５の形状に合わせた後カバーである。
【００８１】
前記第１実施例の図３におけると同一構成要素の重複説明は省略する。
【００８２】
図１５は、本第３実施例の略水平断面図（前記第１実施例の図７対応図）であり、８０は、ストラップ金具７５が固定されるフレームである。
【００８３】
前記第１実施例と同一構成要素の重複説明は省略する。
【００８４】
上記構成において、ストラップ金具７５は、図１５に示すように電気的に導通を保つように前カバー７８，後カバー７９，フレーム８０に各ビス７６，７７で固定されている。フレーム８０は、不図示の手段で電源回路のＧＮＤに接地されているので、ストラップ金具７５を介して前カバー７８，後カバー７９も接地される。
【００８５】
これにより、電気的にＧＮＤでカメラを包むことになるので、外来ノイズや静電気に強いだけでなく、不要輻射と呼ばれるカメラ内部から外に向かって放出するノイズをも軽減したカメラが実現できた。
【００８６】
さらに、カメラの骨格であるフレーム８０に、ストラップ金具７５は固定されているので、非常に堅固で安全なストラップ固定具となった。
【図面の簡単な説明】
【００８７】
【図１】第１実施例のデジタルスチルカメラの外観正面斜視図
【図２】撮影可能状態の図１カメラの概略正面斜視図
【図３】図２カメラの概略背面斜視図
【図４】図２カメラの概略底面図
【図５】図２カメラの構成ブロック図
【図６】図２カメラのモードダイヤル説明図
【図７】図２カメラの略中央水平断面図
【図８】図２カメラの内部構成説明概略斜視図
【図９】三脚ねじ略中央垂直断面図
【図１０】モードダイヤル部垂直断面図
【図１１】モードダイヤル部水平断面図
【図１２】他のフレーム形状例の水平断面図
【図１３】第２実施例の概略垂直断面図
【図１４】第３実施例の概略背面斜視図
【図１５】第３実施例の略水平断面図
【図１６】従来例の外観斜視図
【図１７】従来例の水平断面図
【図１８】従来例の三脚ねじ垂直断面図
【符号の説明】
【００８８】
１  前カバー
２  後カバー
３  レリーズボタン
４  ファインダ
５  ＡＦ補助光
６  ストロボ（フラッシュ）
７  白黒液晶
８  モードダイヤル
９  指標
１０  バリア
１３  レンズ
１４  鏡筒
１７  カラー液晶
２６，７０  三脚ねじ
４０，８０  フレーム
４１  電池
４２  電池室
６０  レリーズベース
７５  ストラップ金具
１０９  ＣＣＤ
１１３  Ｇ．Ａ
１１５  メインＣＰＵ
１２４  サブＣＰＵ
２０１  光学ブロック
２０２  光学基板
２０３  メイン基板
２０４  ＣＦ基板
２０５  撮像基板
２０６  インバータ基板
２０７  ＬＣＤ基板
２０８  電源基板
２０９  サブ基板
【図１】
2007097227.tif 000003
【図２】
2007097227.tif 000004
【図３】
2007097227.tif 000005
【図４】
2007097227.tif 000006
【図５】
2007097227.tif 000007
【図６】
2007097227.tif 000008
【図７】
2007097227.tif 000009
【図８】
2007097227.tif 000010
【図９】
2007097227.tif 000011
【図１０】
2007097227.tif 000012
【図１１】
2007097227.tif 000013
【図１２】
2007097227.tif 000014
【図１３】
2007097227.tif 000015
【図１４】
2007097227.tif 000016
【図１５】
2007097227.tif 000017
【図１６】
2007097227.tif 000018
【図１７】
2007097227.tif 000019
【図１８】
2007097227.tif 000020